(57)【要約】      （修正有）【課題】構造建築の強度を高めることで外からの応力に対抗する能力を備える複合式螺旋状箍構造を提供する。【解決手段】複合式螺旋状箍構造１００は、第一螺旋状箍２００、第二螺旋状箍３００、第一三角箍筋４００及び第二三角箍筋５００を含む。上述の螺旋状箍と三角箍筋はいずれも複数の隙間を備え、第一螺旋状箍と第二螺旋状箍における複数の隙間は相互に交錯して重なり箇所を形成し、前記重なり箇所は第一三角箍筋及び第二三角箍筋とそれぞれ交錯して楕円形に似た複合式螺旋状箍構造を形成する。【選択図】図５a
0003145700.tif 000002
【実用新案登録請求の範囲】
【請求項１】
接合側を含み、複数の第一隙間を備える第一螺旋状箍と、
複数の第二隙間を備え、前記第一螺旋状箍の軸心と並列であり、前記接合側の一部分を前記第二螺旋状箍の前記複数の第二隙間に差込むことで重なり箇所を形成する、第二螺旋状箍と、
複数の第三隙間を備え、その断面の頂部は、前記重なり箇所の端部を繋ぐ直線方向に沿って前記重なり箇所に差し込む第一三角箍筋と、
複数個の第四隙間を備え、その断面の頂部は、前記重なり箇所の端部を繋ぐ直線方向且つ第一三角箍筋に相対する方向に沿って前記重なり箇所に差し込む第二三角箍筋を含むことを特徴とする複合式螺旋状箍構造。
【請求項２】
前記第一隙間、前記第二隙間、前記第三隙間と前記第四隙間における隙間の比率は、1:1:1:1から1:10:20:100の間であることを特徴とする請求項１に記載の複合式螺旋状箍構造。
【請求項３】
前記第一螺旋状箍と前記第二螺旋状箍の旋回方向は、時計回り、反時計回り、或いは時計回り及び反時計回りの混合という螺旋方向のうち、いずれか一つを選択することを特徴とする請求項１に記載の複合式螺旋状箍構造。
【考案の詳細な説明】
【技術分野】
【０００１】
本考案は螺旋状箍構造に関し、具体的には、異なる形状及びサイズの螺旋状箍構造を組み合わせて形成する、複合式螺旋状箍構造に関する。
【背景技術】
【０００２】
一般的な鉄筋コンクリートの構造において、耐震構造を強化するためには、一般的にはあばら筋を用いて鉄筋とコンクリートを括り付けることによって、震動を受ける過程でも鉄筋とコンクリートが効果的に結合し続けることが可能になり、耐震構造を強化することができる。
【０００３】
台湾は、地理的に地震が頻繁に起こる場所に位置しているため、建築強度の引っ張り強度、及び剪断強度に対する能力は重要である。鉄骨鉄筋コンクリートの設計において、大半は鉄骨を、荷重容量や引っ張り強度、剪断強度の主要部材とする。その後、鉄骨の周囲に、鉄筋とあばら筋を加設することで、鉄骨が受ける力を分担してコンクリートの吸着力を強化すると共に、側面から力を受けた際の共振を抑える。然しながら、現時点での鉄骨鉄筋コンクリート設計では、鉄骨部分の設計及び応用方法が単純なため、実際の設計や施工面でのニーズに容易には応えられない。この他に、螺旋状箍筋の生産製造技術及び組み立て技術の制限を受け、合理的な設計の下では、単一螺旋状箍が提供できる強度も依然として制限がある。
【０００４】
上記問題点に鑑み、本考案は上述の欠点を改善・解決するために、度重なる研究と学術理論の組合せを行い、設計が合理的で効果的に上述の欠点を改善する本考案を提出する。
【考案の開示】
【考案が解決しようとする課題】
【０００５】
本考案は、異なるサイズ及び形状の螺旋状箍構造を組み合わせて形成することにより、締め付け力を高め構造全体の硬性を強化することができる、複合式螺旋状箍構造を提供することを主な目的とする。
【０００６】
本考案は、グラウティングにより成形した構造体のスケルトン（骨組み）に用いる複合式複合式螺旋状箍構造を提供することをもう一つの目的とする。
【０００７】
本考案は、異なる螺旋状箍構造を組み合わせて複合式螺旋状箍構造を形成することで、施工効率を高めることができる、複合式螺旋状箍構造を提供することをもう一つの目的とする。
【考案の効果】
【０００８】
異なるサイズ及び形状の螺旋状箍構造を組み合わせて形成することにより、締め付け力を高め構造全体の硬性を強化することができ、又、施工効率を高めることができる。
【考案を実施するための最良の形態】
【０００９】
以下、添付図面を参照して本考案の実施の形態を詳細に説明する。
【実施例１】
【００１０】
図1に示すように、第一螺旋状箍２００と第二螺旋状箍３００はそれぞれ閉合箍筋であり、この閉合箍筋の特長は、端部が螺旋状箍筋上で閉合するところにある。しかしながら、第一螺旋状箍２００と第二螺旋状箍３００は一般の螺旋状箍筋でもよい。その内、第一螺旋状箍２００は接合側２１０を含み、この時第一螺旋状箍２００と第二螺旋状箍３００の軸心は並列であり、接合側２１０と第二螺旋状箍３００が交錯することにより重なり箇所２９０を形成することができる（図2を参照）。
【００１１】
図2bに示すように、第一螺旋状箍２００と第二螺旋状箍３００が交錯して形成された重なり箇所２９０の中には、2つの端点を備えており、それぞれ第一端点３７０及び第二端点３９０である。第一螺旋状箍２００と第二螺旋状箍３００は、鉄筋号数或いは材質が異なっていてもいなくても、一旦交錯すると必ず2つの端点が生じる。図3に示すように、第一三角箍筋４００及び第二三角箍筋５００は閉合箍筋であるが、非閉合箍筋でも一般の箍筋でもよい。
【００１２】
図3ａ及び図3ｂに示すように、第一三角箍筋４００と第二三角箍筋５００の三角構造状の中には、それぞれ第一頂部４１０と第二頂部５１０を備えており、その特徴は、第一頂部４１０と第二頂部５１０が相互に対応し、第一三角箍筋４００と第二三角箍筋５００の軸心を相互に並列にさせるところにある。本考案の好ましい実施例である図4aにおいて、第一三角箍筋４００の第一頂部４１０は、重なり箇所２９０の第一端点３７０と第二端点３９０が繋がる直線方向に沿って重なり箇所２９０に差し込む。図4bに示すように、上述の第二三角箍筋５００の位置と第一三角箍筋４００の位置は相対しているため、第二三角箍筋５００の第二頂部５１０は、重なり箇所２９０の第二端点３９０と第一端点３７０が繋がる直線方向且つ第一三角箍筋４００に相対する方向に沿って重なり箇所２９０に差し込むことで、楕円形に類似した複合式螺旋状箍構造１００を形成し、鉄筋とコンクリートを効果的に結合させることができる。そのため、締め付け力を高め構造全体を強化することができる。しかしながら、その他の実施例においては、第一三角箍筋４００の断面の重心は第一端点３７０上にあり、第二三角箍筋５００の断面の重心は第二端点３９０上にある。又、第一三角箍筋４００の第一頂部４１０以外の両端は、それぞれ第一螺旋状箍２００及び第二螺旋状箍３００との円周の正接である。同時に、第二三角箍筋５００はそれぞれ第一螺旋状箍２００及び第二螺旋状箍３００の円周をきれいに切るという方式により、上述の楕円形に似た複合式螺旋状箍構造１００を形成する。
【００１３】
図5ａに示すように、更に少なくとも一つの軸性鉄筋６００を含み、それは第一螺旋状箍２００と第二螺旋状箍３００の軸性が交わる箇所に設置され、重なり箇所２９０を定めるのに用いられ、その内、軸性鉄筋６００の設置方向は、施工規範及び異なる設計需要に対応して柔軟に調整を行うことができ、又、第一螺旋状箍２００と第二螺旋状箍３００の端部における曲がりは、非実質的な固定方式でこの複合式螺旋状箍構造１００を固定する。また、実質固定方式（溶接、螺接、束ねる、その他類似効果を提供できる方式及び混合方式）を用いて複合式螺旋状箍構造１００を定めることもできる。
【００１４】
本考案の複合式螺旋状箍構造１００の第一螺旋状箍２００及び第二螺旋状箍３００は、いずれも円形の螺旋状箍筋であり且つ断面積は等しい。その内、第一螺旋状箍２００及び第二螺旋状箍３００は、それぞれ、四角形の螺旋状箍、楕円形の螺旋状箍、多角形の螺旋状箍及びその他類似の効能を提供できる形状でもよく、断面積は設計の需要に応じて変えることができる。その他に、好ましい第一螺旋状箍２００及び第二螺旋状箍３００は均一且つ連続した螺旋状箍である。その内第一螺旋状箍２００及び第二螺旋状箍３００は、それぞれ、設計の需要に対応させて上が狭く下が広い等の各段が均一でない螺旋状箍でもよい。又、第一三角箍筋４００及び第二三角箍筋５００は、どちらも三角形の螺旋状箍筋である。そして、第一螺旋状箍２００及び第二螺旋状箍３００の隙間の広さに合わせるために、第一三角箍筋４００及び第二三角箍筋５００は、それぞれ、設計の需要に対応させて上が狭く下が広い等の各段が均一でない螺旋箍でもよい。更に、軸性鉄筋６００は、第一三角箍筋４００が第一螺旋状箍２００及び第二螺旋状箍３００のそれぞれと重なり合う箇所の両端に設置することで、第一三角箍筋４００と第一螺旋状箍２００及び第二螺旋状箍３００とのそれぞれの相互距離を定めることができる。
【００１５】
図5bに示すように、本考案の第二三角箍筋５００と第一螺旋状箍２００及び第二螺旋状箍３００とのそれぞれの相互距離は、軸性鉄筋６００によっても定めることができる。この時軸性鉄筋６００は、第二三角箍筋５００が第一螺旋状箍２００及び第二螺旋状箍３００とそれぞれ重なり合う箇所に設置する。又、図1及び図3ａに示すように、第一螺旋状箍２００は第一隙間第一隙間２５０を備えていて、第二螺旋状箍３００は第二隙間３５０を備えていて、第一三角箍筋４００は第三隙間４５０を備えていて、第二三角箍筋５００は第四隙間５５０を備えている。この4者の好ましい比率は1:1:1:1から1:10:20:100の間である。この比率は、鉄筋とコンクリートの効果的な結合を適切に強め、更には、コンクリートの締めつけ力を高め、構造全体を強化する。
【図面の簡単な説明】
【００１６】
【図１】本考案における実施例の分解立体図である。
【図２ａ】本考案における実施例の部分組み合わせ立体図である。
【図２ｂ】本考案における実施例の部分組み合わせ断面図である。
【図３ａ】本考案におけるもう一つの実施例の部分組み合わせ立体図である。
【図３ｂ】本考案におけるもう一つの実施例の部分組み合わせ断面図である。
【図４ａ】本考案における組み合わせ立体図である。
【図４ｂ】本考案における組み合わせ断面図である。
【図５ａ】本考案における全体組み合わせ立体図である。
【図５ｂ】本考案における全体組み合わせ立体断面図である。
【符号の説明】
【００１７】
１００  複合式螺旋状箍構造
２００  第一螺旋状箍
２１０  接合側
２５０  第一隙間
２９０  重なり箇所
３００  第二螺旋状箍
３５０  第二隙間
３７０  第一端点
３９０  第二端点
４００  第一三角箍筋
４１０  第一頂部
４５０  第三隙間
５００  第二三角箍筋
５１０  第二頂部
５５０  第四隙間
６００  軸性鉄筋
【図１】
0003145700.tif 000003
【図２ａ】
0003145700.tif 000004
【図２ｂ】
0003145700.tif 000005
【図３ａ】
0003145700.tif 000006
【図３ｂ】
0003145700.tif 000007
【図４ａ】
0003145700.tif 000008
【図４ｂ】
0003145700.tif 000009
【図５ａ】
0003145700.tif 000010
【図５ｂ】
0003145700.tif 000011